(57)【要約】【課題】通話相手の声量に適した受話音量を設定する。【解決手段】通話装置１０において記憶部２１は、通話相手の通話装置と初期受話音量とを対応付けて記憶する。また、記憶制御部２０は、通話相手の通話装置との通話の際に操作部１８によって受話音量が調整された場合、検出騒音量と上記の第１閾値とを比較する。そして、記憶制御部２０は、検出騒音量が第１閾値以下である場合、調整された受話音量によって記憶部２１の初期受話音量を更新する。一方、記憶制御部２０は、検出騒音量が第１閾値より大きい場合、記憶部２１の初期受話音量を更新しない。【選択図】図１
2015061303.tif 000002
【特許請求の範囲】
【請求項１】
メモリと、前記メモリに接続されたプロセッサとを具備し、
前記メモリは、通話相手の通話装置と、前記通話相手の通話装置との通話の開始時に設定される初期受話音量とを対応付けて記憶し、
前記プロセッサは、
前記通話の際に受話音量が調整された場合、前記通話の際の周囲の騒音量と第１閾値とを比較し、
前記騒音量が前記第１閾値以下である場合、前記調整された受話音量によって前記メモリの初期受話音量を更新し、
前記騒音量が前記第１閾値より大きい場合、前記調整された受話音量によって前記メモリの初期受話音量を更新しない、
ことを特徴とする通話装置。
【請求項２】
前記メモリは、通話相手の通話装置について、前記第１閾値以下の騒音量領域が分割された複数の部分領域のそれぞれに対して初期受話音量を対応付けて記憶し、
前記プロセッサは、前記通話の開始時に、前記騒音量の検出値に対応する前記部分領域に対応付けられた初期受話音量を用いる、
ことを特徴とする請求項１に記載の通話装置。
【請求項３】
通話相手の通話装置と、前記通話相手の通話装置との通話の開始時に設定される初期受話音量とを対応付けて記憶する通話装置に、
前記通話の際に受話音量が調整された場合、前記通話の際の周囲の騒音量と第１閾値とを比較し、
前記騒音量が前記第１閾値以下である場合、前記調整された受話音量によって前記メモリの初期受話音量を更新し、
前記騒音量が前記第１閾値より大きい場合、前記調整された受話音量によって前記メモリの初期受話音量を更新しない、
処理を実行させることを特徴とする音量調整プログラム。
【発明の詳細な説明】
【技術分野】
【０００１】
本発明は、通話装置及び音量調整プログラムに関する。
【背景技術】
【０００２】
従来から携帯電話等の通話装置は、ボタン等の操作部がユーザによって操作されることにより、受話音量（つまり、ボリューム）を調節する機能を有している。そして、或る通話相手の通話装置と通信中に調整された受話音量をその通話相手の通話装置の識別情報と対応付けて記憶しておき、その通話相手と次に通信する時にはその記憶している受話音量を「初期受話音量」として自動的に設定する、通話装置が提案されている。「初期受話音量」とは、通話開始時に設定される受話音量である。
【先行技術文献】
【特許文献】
【０００３】
【特許文献１】特開２００１−０９４６０４号公報
【発明の概要】
【発明が解決しようとする課題】
【０００４】
しかしながら、周囲の騒音で或る通話相手との通話が邪魔された結果として調整した受話音量によって、その通話相手との次の通話を行うこととした場合、その通話相手の声量に適さない受話音量が設定されてしまう可能性がある。
【０００５】
開示の技術は、上記に鑑みてなされたものであって、通話相手の声量に適した受話音量を設定することができる、通話装置及び音量調整プログラムを提供することを目的とする。
【課題を解決するための手段】
【０００６】
開示の態様では、メモリは、通話相手の通話装置と前記通話相手の通話装置との通話の開始時に設定される初期受話音量とを対応付けて記憶する。そして、プロセッサは、前記通話の際に受話音量が調整された場合、前記通話の際の周囲の騒音量と第１閾値とを比較する。そして、前記プロセッサは、前記騒音量が前記第１閾値以下である場合、前記調整された受話音量によって前記メモリの初期受話音量を更新し、前記騒音量が前記第１閾値より大きい場合、前記調整された受話音量によって前記メモリの初期受話音量を更新しない。
【発明の効果】
【０００７】
開示の態様によれば、通話相手の声量に適した受話音量を設定することができる。
【図面の簡単な説明】
【０００８】
【図１】図１は、実施例１の通話装置の一例を示すブロック図である。
【図２】図２は、実施例１の記憶部に記憶される受話音量テーブルの一例を示す図である。
【図３】図３は、実施例１の通話制御部の処理動作の一例を示すフローチャートである。
【図４】図４は、実施例１の記憶制御部の処理動作の一例を示すフローチャートである。
【図５】図５は、実施例２の通話装置の構成例を示すブロック図である。
【図６】図６は、実施例２の記憶部に記憶される受話音量テーブルの一例を示す図である。
【図７】図７は、実施例２の記憶制御部の処理動作の一例を示すフローチャートである。
【図８】図８は、実施例２の通話制御部の処理動作の一例を示すフローチャートである。
【図９】図９は、通話装置のハードウェア構成例を示す図である。
【発明を実施するための形態】
【０００９】
以下に、本願の開示する通話装置及び音量調整プログラムの実施形態を図面に基づいて詳細に説明する。なお、この実施形態により本願の開示する通話装置及び音量調整プログラムが限定されるものではない。また、実施形態において同一の機能を有する構成には同一の符号を付し、重複する説明は省略される。
【００１０】
［実施例１］
［通話装置の構成例］
図１は、実施例１の通話装置の一例を示すブロック図である。図１において通話装置１０は、無線部１１と、通信処理部１２と、増幅部１３と、音声信号処理部１４と、マイク１５と、スピーカ１６と、騒音検出部１７とを有する。また、通話装置１０は、操作部１８と、通話制御部１９と、記憶制御部２０と、記憶部２１とを有する。
【００１１】
無線部１１は、アンテナを介して受信した受信信号に対して所定の無線受信処理、つまりダウンコンバート、アナログディジタル変換等を施して、通信処理部１２へ出力する。また、無線部１１は、通信処理部１２から受け取る送信信号に対して所定の無線送信処理、つまりディジタルアナログ変換、アップコンバート等を施し、得られた無線信号をアンテナを介して送信する。なお、受信信号及び送信信号は、音声信号及びデータ信号等を含む。ただし、以下では、受信信号及び送信信号は音声信号であるものとして説明する。
【００１２】
通信処理部１２は、無線部１１から受け取った無線受信処理後の受信信号に対して所定の受信信号処理、つまり復調及び復号等を施し、得られた受信音声信号を増幅部１３へ出力する。また、通信処理部１２は、音声信号処理部１４から受け取る送信音声信号に対して所定の送信信号処理、つまり符号化及び変調等を施し、得られた送信信号を無線部１１へ出力する。
【００１３】
増幅部１３は、通信処理部１２から受け取る受信音声信号を、通話制御部１９によって設定される音量値（以下では、単に「設定音量値」と呼ぶことがある）に基づいて増幅し、増幅後の受信音声信号を音声信号処理部１４へ出力する。設置音量値は、例えば、増幅率又は減衰率である。
【００１４】
音声信号処理部１４は、増幅部１３から受け取る受信音声信号をディジタルアナログ変換し、得られたアナログ音声信号をスピーカ１６へ出力する。また、音声信号処理部１４は、マイク１５から受け取るアナログ音声信号をアナログディジタル変換し、得られた送信音声信号を通信処理部１２及び騒音検出部１７へ出力する。
【００１５】
マイク１５は、音を感知し、感知した音に基づいてアナログ音声信号を形成し、形成したアナログ音声信号を音声信号処理部１４へ出力する。
【００１６】
スピーカ１６は、音声信号処理部１４から受け取ったアナログ音声信号に基づいて音を放音する。
【００１７】
騒音検出部１７は、通話装置１０の周囲の騒音量を検出し、記憶制御部２０へ出力する。
【００１８】
例えば、騒音検出部１７は、次のような方法で周囲の騒音量を検出することができる。
【００１９】
〈第１の方法〉騒音検出部１７は、音声信号処理部１４から受け取った送信音声信号に基づいて、通話装置１０のユーザが発話している期間（以下、「発話期間」と呼ぶことがある）を特定する。例えば、騒音検出部１７は、音声信号処理部１４から受け取った送信音声信号の電圧が「判定閾値」以上である時間帯を発話期間として特定する。そして、騒音検出部１７は、発話期間以外の時間における送信音声信号の電圧を騒音量として検出する。
【００２０】
〈第２の方法〉騒音検出部１７は、音声信号処理部１４から受け取った送信音声信号の内で、人の声の有無の判定に用いる「音声周波数帯」の信号成分を抽出し、抽出した信号成分のパワーが「判定閾値」以上である時間帯を発話期間として特定する。そして、騒音検出部１７は、発話期間以外の時間における送信音声信号の平均パワーを騒音量として検出する。
【００２１】
〈第３の方法〉騒音検出部１７は、送信音声信号に含まれるピッチをサーチし、ピッチが検出された時間帯を発話期間として特定する。そして、騒音検出部１７は、発話期間以外の時間における送信音声信号の電圧を騒音量として検出する。
【００２２】
操作部１８は、例えば、受話音量調整ボタンを含む。そして、操作部１８は、受話音量調整ボタンが操作されることで指示された調整後の絶対的な受話音量を通話制御部１９へ出力する。すなわち、例えば、受話音量レベルがレベル１からレベル７まである場合、操作部１８は、調整後の受話音量レベルを通話制御部１９へ出力する。又は、操作部１８は、受話音量調整ボタンが操作されることで指示された調整量（つまり、アップ量又はダウン量）を通話制御部１９へ出力してもよいし、調整後の絶対的な受話音量及び調整量の両方を通話制御部１９へ出力してもよい。
【００２３】
通話制御部１９は、増幅部１３に対して受話音量（つまり、上記の音量値）を設定する。例えば、通話制御部１９は、通話相手の通話装置との通話の開始時に、その通話相手の通話装置に対応する「初期受話音量」が記憶部２１に記憶されている場合、その初期受話音量を増幅部１３に対して設定する。一方、通話制御部１９は、その通話相手の通話装置に対応する「初期受話音量」が記憶部２１に記憶されていない場合、又は、「初期受話音量」がデフォルト（default）とされている場合、操作部１８にその時点で設定されている受話音量を増幅部１３に設定する。また、通話制御部１９は、通話中に操作部１８を用いた受話音量の調整が行われた場合、調整後の受話音量を増幅部１３に設定する。そして、通話中に操作部１８を用いた受話音量の調整が行われた場合、通話制御部１９は、調整後の受話音量及び通話中の通話相手の通話装置の識別情報（例えば、電話番号）を記憶制御部２０へ出力する。
【００２４】
記憶制御部２０は、騒音検出部１７からの検出騒音量、並びに、通話制御部１９からの調整後の受話音量及び通話装置の識別情報を受け取る。そして、記憶制御部２０は、取得した騒音量と「第１閾値」とを比較する。そして、記憶制御部２０は、取得した騒音量が第１閾値より大きい場合、騒音が有ると判定し、受け取った通話装置の識別情報と記憶部２１で対応付けられた初期受話音量の値を、受け取った調整後の受話音量の値で更新する。一方、記憶制御部２０は、取得した騒音量が第１閾値以下である場合、騒音が無いと判定し、上記の更新を行わない。
【００２５】
記憶部２１は、通話相手候補の識別情報と「初期受話音量」とを対応付けて記憶する。図２は、実施例１の記憶部に記憶される受話音量テーブルの一例を示す図である。図２において、受話音量テーブルは、複数の通話相手候補と各通話相手候補の通話装置の識別情報と初期受話音量とを対応付けて記憶している。例えば、通話相手候補「Ａ氏」の通話装置の識別情報には、「090-xxxx-xxxx」が記憶されており、初期受話音量には、レベル「１」が記憶されている。このため、「090-xxxx-xxxx」の電話番号を持つ通話装置との通話の開始時には、通話制御部１９は、増幅部１３にレベル「１」の受話音量に対応する増幅率を設定する。また、「080-zzzz-zzzz」の電話番号を持つ通話装置との通話の開始時には、通話制御部１９は、操作部１８にその時点で設定されている受話音量に対応する増幅率を設定する。なお、受話音量テーブルの通話相手候補及び識別情報における情報は、例えば、通話装置１０が保持している電話帳テーブルと関連付けされていてもよい。
【００２６】
［通話装置の動作例］
以上の構成を有する通話装置１０の処理動作の一例について説明する。
【００２７】
＜通話制御部の処理動作例＞
図３は、実施例１の通話制御部の処理動作の一例を示すフローチャートである。
【００２８】
図３に示すフローは、例えば、通話の開始時にスタートする。すなわち、例えば、通話装置１０の方から通話相手に電話をかける場合、通話制御部１９に通話相手の通話装置の識別情報（つまり、電話番号）が入力されたときに、フローがスタートする。また、例えば、通話相手の方から通話装置１０に電話をかけてきた場合も、通話制御部１９に通話相手の通話装置の識別情報が入力されたときに、フローがスタートする。
【００２９】
通話制御部１９は、通話相手の通話装置の識別情報が入力されると記憶部２１を参照し、その識別情報に対応する初期受話音量が記憶されているか否かを判定する（ステップＳ１０１）。
【００３０】
初期受話音量が記憶されていると判定した場合（ステップＳ１０１肯定）、通話制御部１９は、記憶されている初期受話音量を増幅部１３に設定する（ステップＳ１０２）。すなわち、通話制御部１９は、記憶されている初期受話音量に対応する増幅率を増幅部１３に設定する。
【００３１】
一方、初期受話音量が記憶されていないと判定した場合（ステップＳ１０１否定）、通話制御部１９は、操作部１８にその時点で設定されている受話音量を増幅部１３に設定する（ステップＳ１０３）。すなわち、通話制御部１９は、操作部１８にその時点で設定されている受話音量に対応する増幅率を増幅部１３に設定する。
【００３２】
通話制御部１９は、通話が終了したか否かを判定し（ステップＳ１０４）、終了している場合（ステップＳ１０４肯定）、図３のフローを終了させる。
【００３３】
通話が終了していない場合（ステップＳ１０４否定）、通話制御部１９は、操作部１８に対する受話音量の調整操作がされたか否かを判定する（ステップＳ１０５）。
【００３４】
受話音量の調整操作がされた場合（ステップＳ１０５肯定）、通話制御部１９は、調整された受話音量を増幅部１３に設定し（ステップＳ１０６）、調整された受話音量及び通話中の通話相手の通話装置の識別情報を記憶制御部２０へ出力する（ステップＳ１０７）。そして、処理は、ステップＳ１０４へ戻る。なお、調整操作がなされていないと判定された場合（ステップＳ１０５否定）も、処理は、ステップＳ１０４へ戻る。
【００３５】
＜記憶制御部の処理動作例＞
図４は、実施例１の記憶制御部の処理動作の一例を示すフローチャートである。
【００３６】
図４に示すフローは、記憶制御部２０が通話制御部１９から調整後の受話音量及び通話装置の識別情報を受け取ると、スタートする。
【００３７】
記憶制御部２０は、騒音検出部１７から、騒音量の情報を取得する（ステップＳ２０１）。
【００３８】
記憶制御部２０は、取得した騒音量が第１閾値より大きいか否かを判定する（ステップＳ２０２）。
【００３９】
記憶制御部２０は、取得した騒音量が第１閾値以下の場合（ステップＳ２０２否定）、取得した通話装置の識別情報と記憶部２１で対応付けられている初期受話音量の値を、取得した受話音量の値で更新する（ステップＳ２０３）。
【００４０】
一方、記憶制御部２０は、取得した騒音量が第１閾値より大きい場合（ステップＳ２０２肯定）、フローを終了する。すなわち、記憶制御部２０は、取得した騒音量が第１閾値より大きい場合（ステップＳ２０２肯定）、受話音量の更新を実行しない。
【００４１】
以上のように本実施例によれば、通話装置１０において記憶部２１は、通話相手の通話装置と初期受話音量とを対応付けて記憶する。また、記憶制御部２０は、通話相手の通話装置との通話の際に操作部１８によって受話音量が調整された場合、検出騒音量と上記の第１閾値とを比較する。そして、記憶制御部２０は、検出騒音量が第１閾値以下である場合、調整された受話音量によって記憶部２１の初期受話音量を更新する。一方、記憶制御部２０は、検出騒音量が第１閾値より大きい場合、記憶部２１の初期受話音量を更新しない。
【００４２】
この通話装置１０の構成により、検出騒音量が大きい時には初期受話音量を更新しないので、周囲の騒音に影響を受けて調整された受話音量が初期受話音量として記憶されることを防止することができる。この結果、通話の開始時に、記憶された初期受話音量を用いることにより、通話相手の声量に適した受話音量を設定することができる。
【００４３】
［実施例２］
実施例２では、実施例１で騒音が無いと判定された「騒音量領域」を複数の部分領域に分割し、部分領域毎に初期受話音量を対応付けて記憶する。
【００４４】
［通話装置の構成例］
図５は、実施例２の通話装置の構成例を示すブロック図である。図５において通話装置５０は、通話制御部５１と、記憶制御部５２と、記憶部５３とを有する。
【００４５】
通話制御部５１は、実施例１の通話制御部１９と同様に、増幅部１３に対して受話音量を設定する。例えば、通話制御部５１は、騒音検出部１７で検出された騒音量に応じた受話音量を増幅部１３に設定する。具体的には、通話制御部５１は、検出騒音量に対応する騒音レベルを特定する。そして、通話制御部５１は、通話相手の通話装置との通話の開始時に、その通話相手の通話装置及び特定した騒音レベルに対応する「初期受話音量」を増幅部１３に対して設定する。
【００４６】
記憶制御部５２は、騒音検出部１７からの検出騒音量、並びに、通話制御部５１からの調整量及び通話装置の識別情報を受け取る。そして、記憶制御部５２は、騒音検出部１７からの検出騒音量に対応する騒音レベルを特定する。そして、記憶制御部５２は、特定した騒音レベルが上記の第１閾値より大きい騒音量に対応する場合、初期受話音量の更新を実行しない。一方、記憶制御部５２は、特定した騒音レベルが上記の第１閾値以下の騒音量に対応する騒音レベルである場合、通話制御部５１からの調整量に基づいて初期受話音量を更新する。
【００４７】
記憶部５３は、通話相手候補の識別情報と騒音レベルと初期受話音量とを対応付けて記憶する。図６は、実施例２の記憶部に記憶される受話音量テーブルの一例を示す図である。図６において、受話音量テーブルは、複数の通話相手候補と、各通話相手候補の通話装置の識別情報と、各識別情報の複数の騒音レベルと、各騒音レベルに応じた初期受話音量とを対応付けて記憶している。例えば、通話相手候補「Ａ氏」の通話装置の識別情報には、「090-xxxx-xxxx」が記憶されており、騒音レベル１，２，３と初期受話音量１，２，３とがそれぞれ対応付けられて記憶されている。このため、「090-xxxx-xxxx」の電話番号を持つ通話装置との通話の開始時には、通話制御部１９は、特定した騒音レベルが「１」である場合、騒音レベル「１」に対応したレベル「１」の受話音量に対応する増幅率を増幅部１３に設定する。
【００４８】
［通話装置の動作例］
以上の構成を有する通話装置５０の処理動作の一例について説明する。なお、以下では、騒音レベルが１から４の４段階に分けられる場合を例にとり説明する。騒音レベル１，２，３，４の順番で騒音が大きくなる。そして、騒音レベル４と騒音レベル３との境が第１閾値であり、騒音レベル１と騒音レベル２との境が「第２閾値」である。また、騒音レベル２と騒音レベル３との境が「第３閾値」である。例えば、騒音レベル１は、２９ｄＢＡ以下の範囲、騒音レベル２は、３０ｄＢＡから５４ｄＢＡまでの範囲、騒音レベル３は、５５ｄＢＡから６９ｄＢＡまでの範囲、騒音レベル４は、７０ｄＢＡ以上の範囲とする。すなわち、騒音レベル１は、「非常に静か」であり、騒音レベル２は、「静か」であり、騒音レベル３は、「通常」である。
【００４９】
＜記憶制御部の処理動作例＞
図７は、実施例２の記憶制御部の処理動作の一例を示すフローチャートである。図７に示すフローは、記憶制御部５２が通話制御部５１から調整量及び通話装置の識別情報を受け取ると、スタートする。
【００５０】
記憶制御部５２は、騒音検出部１７から、騒音量の情報を取得する（ステップＳ３０１）。
【００５１】
記憶制御部５２は、通話制御部５１から受け取った調整量に基づいて、操作部１８に為された調整操作が受話音量のレベルアップ操作であるか否かを判定する（ステップＳ３０２）。
【００５２】
レベルアップ操作であると判定した場合（ステップＳ３０２肯定）、記憶制御部５２は、取得した騒音量が第１閾値より大きいか否かを判定する（ステップＳ３０３）。
【００５３】
取得した騒音量が第１閾値より大きいと判定した場合（ステップＳ３０３肯定）、記憶制御部５２は、図７に示すフローを終了する。すなわち、騒音レベルが騒音レベル４であると判定した場合、記憶制御部５２は、初期受話音量の更新を実行しない。
【００５４】
取得した騒音量が第１閾値以下であると判定した場合（ステップＳ３０３否定）、記憶制御部５２は、取得した騒音量が「第２閾値」より大きいか否かを判定する（ステップＳ３０４）。
【００５５】
取得した騒音量が第２閾値以下である場合（ステップＳ３０４否定）、つまり騒音レベルが騒音レベル１である場合、記憶制御部５２は、通話制御部５１から受け取った通話装置の識別情報に対応する騒音レベル１，２，３の初期受話音量をそれぞれアップする（ステップＳ３０５）。このアップ量は、通話制御部５１から受け取った調整量である。すなわち、操作部１８の操作によってレベルを２つアップする操作が行われた場合、記憶制御部５２は、騒音レベル１，２，３の初期受話音量をそれぞれ２レベルずつアップする。
【００５６】
取得した騒音量が第２閾値より大きい場合（ステップＳ３０４肯定）、記憶制御部５２は、取得した騒音量が「第３閾値」より大きいか否かを判定する（ステップＳ３０６）。
【００５７】
取得した騒音量が第３閾値以下である場合（ステップＳ３０６否定）、つまり騒音レベルが騒音レベル２である場合、記憶制御部５２は、通話制御部５１から受け取った通話装置の識別情報に対応する騒音レベル２，３の初期受話音量をそれぞれアップする（ステップＳ３０７）。すなわち、記憶制御部５２は、判定された騒音レベル以上の騒音レベル（騒音レベル４を除く）の初期受話音量をそれぞれアップする。
【００５８】
取得した騒音量が第３閾値より大きい場合（ステップＳ３０６肯定）、つまり騒音レベルが騒音レベル３である場合、記憶制御部５２は、信制御部５１から受け取った通話装置の識別情報に対応する騒音レベル３の初期受話音量をアップする（ステップＳ３０８）。
【００５９】
レベルダウン操作であると判定した場合（ステップＳ３０２否定）、記憶制御部５２は、取得した騒音量が第１閾値より大きいか否かを判定する（ステップＳ３０９）。
【００６０】
取得した騒音量が第１閾値より大きいと判定した場合（ステップＳ３０９肯定）、記憶制御部５２は、図７に示すフローを終了する。すなわち、騒音レベルが騒音レベル４であると判定した場合、記憶制御部５２は、初期受話音量の更新を実行しない。
【００６１】
取得した騒音量が第１閾値以下であると判定した場合（ステップＳ３０９否定）、記憶制御部５２は、取得した騒音量が第２閾値より大きいか否かを判定する（ステップＳ３１０）。
【００６２】
取得した騒音量が第２閾値以下である場合（ステップＳ３１０否定）、つまり騒音レベルが騒音レベル１である場合、記憶制御部５２は、通話制御部５１から受け取った通話装置の識別情報に対応する騒音レベル１の初期受話音量をダウンする（ステップＳ３１１）。このダウン量は、通話制御部５１から受け取った調整量である。すなわち、操作部１８の操作によってレベルを２つダウンする操作が行われた場合、記憶制御部５２は、騒音レベル１の初期受話音量を２レベルだけダウンする。
【００６３】
取得した騒音量が第２閾値より大きい場合（ステップＳ３１０肯定）、記憶制御部５２は、取得した騒音量が第３閾値より大きいか否かを判定する（ステップＳ３１２）。
【００６４】
取得した騒音量が第３閾値以下である場合（ステップＳ３１２否定）、つまり騒音レベルが騒音レベル２である場合、記憶制御部５２は、通話制御部５１から受け取った通話装置の識別情報に対応する騒音レベル１，２の初期受話音量をそれぞれダウンする（ステップＳ３１３）。すなわち、記憶制御部５２は、判定された騒音レベル以下の騒音レベルの初期受話音量をそれぞれダウンする。
【００６５】
取得した騒音量が第３閾値より大きい場合（ステップＳ３１２肯定）、つまり騒音レベルが騒音レベル３である場合、記憶制御部５２は、信制御部５１から受け取った通話装置の識別情報に対応する騒音レベル１，２，３の初期受話音量をそれぞれダウンする（ステップＳ３１４）。
【００６６】
なお、以上の説明では、アップ操作である場合、記憶制御部５２は、判定された騒音レベル以上の騒音レベル（騒音レベル４を除く）の初期受話音量をそれぞれアップした。しかしながら、この代わりに次の処理を行ってもよい。すなわち、判定された騒音レベル以上の騒音レベル（騒音レベル４を除く）の初期受話音量の内で、調整後の受話音量より小さい値をもつもののみを、調整後の受話音量で置き換える（更新する）ようにしてもよい。また、以上の説明では、ダウン操作である場合、記憶制御部５２は、判定された騒音レベル以下の騒音レベルの初期受話音量をそれぞれダウンした。しかしながら、この代わりに次の処理を行ってもよい。すなわち、判定された騒音レベル以下の騒音レベルの初期受話音量の内で、調整後の受話音量より大きい値をもつもののみを、調整後の受話音量で置き換える（更新する）ようにしてもよい。
【００６７】
＜通話制御部の処理動作例＞
図８は、実施例２の通話制御部の処理動作の一例を示すフローチャートである。
【００６８】
図８に示すフローは、例えば、通話の開始時にスタートする。
【００６９】
通話制御部５１は、騒音検出部１７から、騒音量の情報を取得する（ステップＳ４０１）。
【００７０】
通話制御部５１は、取得した騒音量が第２閾値より大きいか否かを判定する（ステップＳ４０２）。
【００７１】
取得した騒音量が第２閾値以下である場合（ステップＳ４０２否定）、つまり騒音レベルが騒音レベル１である場合、通話制御部５１は、通話相手の通話装置の識別情報及び騒音レベル１に対応する初期受話音量を増幅部１３に設定する（ステップＳ４０３）。
【００７２】
取得した騒音量が第２閾値より大きい場合（ステップＳ４０２肯定）、通話制御部５１は、取得した騒音量が第３閾値より大きいか否かを判定する（ステップＳ４０４）。
【００７３】
取得した騒音量が第３閾値以下である場合（ステップＳ４０４否定）、つまり騒音レベルが騒音レベル２である場合、通話制御部５１は、通話相手の通話装置の識別情報及び騒音レベル２に対応する初期受話音量を増幅部１３に設定する（ステップＳ４０５）。
【００７４】
取得した騒音量が第３閾値より大きい場合（ステップＳ４０４肯定）、つまり騒音レベルが騒音レベル３又は４である場合、通話制御部５１は、通話相手の通話装置の識別情報及び騒音レベル３に対応する初期受話音量を増幅部１３に設定する（ステップＳ４０６）。なお、ここでは、騒音レベル４である場合も騒音レベル３に対応する初期受話音量を用いることとしたが、この代わりに、騒音レベル４である場合には、操作部１８にその時点で設定されている受話音量を増幅部１３に設定してもよい。
【００７５】
以上のように本実施例によれば、通話装置５０において記憶部５３は、通話相手の通話装置について、上記の第１閾値以下の騒音量領域が分割された複数の部分領域（つまり、上記の複数の騒音レベル）のそれぞれに対して初期受話音量を対応付けて記憶する。そして、通話制御部５１は、通話相手の通話装置との通話の開始時に、検出騒音量に対応する騒音レベルに対応付けられた初期受話音量を用いる。すなわち、通話制御部５１は、通話相手の通話装置との通話の開始時に、検出騒音量に対応する騒音レベルに対応付けられた初期受話音量を増幅部１３に設定する。
【００７６】
この通話装置５０の構成により、通話相手の声量と通話時の周囲の騒音レベルとにマッチした初期受話音量で通話を開始させることができる。
【００７７】
また、通話装置５０において記憶制御部５２は、通話相手の通話装置との通話の際に操作部１８で受話音量のアップ調整がされた場合、検出騒音量以上の騒音量に対応する騒音レベルに対応付けられた初期受話音量を調整量分アップさせる。
【００７８】
この通話装置５０の構成により、或る騒音レベルにおいてアップ調整が行われた場合、その騒音レベルより下の騒音レベルに対応付けられた初期受話音量をアップさせないようにすることができる。これにより、下の騒音レベルの初期受話音量が過剰に大きく設定されることを防止することができる。
【００７９】
又は、記憶制御部５２は、通話相手の通話装置との通話の際に操作部１８で受話音量のアップ調整がされた場合、検出騒音量以上の騒音量に対応する騒音レベルであり且つアップ調整された受話音量よりも小さい初期受話音量が対応付けられた騒音レベルの初期受話音量を、アップ調整された受話音量によって更新してもよい。
【００８０】
また、記憶制御部５２は、通話相手の通話装置との通話の際に操作部１８で受話音量のダウン調整がされた場合、検出騒音量以下の騒音量に対応する騒音レベルに対応付けられた初期受話音量を調整量分ダウンさせる。
【００８１】
この通話装置５０の構成により、或る騒音レベルにおいてダウン調整が行われた場合、その騒音レベルより上の騒音レベルに対応付けられた初期受話音量をダウンさせないようにすることができる。これにより、上の騒音レベルの初期受話音量が過剰に小さく設定されることを防止することができる。
【００８２】
又は、記憶制御部５２は、通話相手の通話装置との通話の際に操作部１８で受話音量のダウン調整がされた場合、検出騒音量以下の騒音量に対応する騒音レベルであり且つダウン調整された受話音量よりも大きい初期受話音量が対応付けられた騒音レベルの初期受話音量を、ダウン調整された受話音量によって更新してもよい。
【００８３】
［他の実施例］
［１］実施例１及び実施例２で図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００８４】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしてもよい。
【００８５】
実施例１及び実施例２の通話装置は、例えば、次のようなハードウェア構成により実現することができる。
【００８６】
図９は、通話装置のハードウェア構成例を示す図である。図９に示すように、通話装置１００は、ＲＦ（Radio  Frequency）回路１０１と、プロセッサ１０２と、メモリ１０３と、マイク１０４と、スピーカ１０５と、操作部１０６とを有する。
【００８７】
プロセッサ１０２の一例としては、ＣＰＵ、ＤＳＰ（Digital  Signal  Processor）、ＦＰＧＡ（Field  Programmable  Gate  Array）等が挙げられる。また、メモリ１０３の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【００８８】
そして、実施例１及び実施例２の通話装置で行われる各種処理機能は、不揮発性記憶媒体などの各種メモリに格納されたプログラムを通話装置が備えるプロセッサで実行することによって実現してもよい。すなわち、通信処理部１２と、増幅部１３と、音声信号処理部１４と、騒音検出部１７と、通話制御部１９，５１と、記憶制御部２０，５２とによって実行される各処理に対応するプログラムがメモリ１０３に記録され、各プログラムがプロセッサ１０２で実行されてもよい。また、通信処理部１２と、増幅部１３と、音声信号処理部１４と、騒音検出部１７と、通話制御部１９，５１と、記憶制御部２０，５２とによって実行される各処理は、ベースバンドＣＰＵ及びアプリケーションＣＰＵ等の複数のプロセッサによって分担されて実行されてもよい。また、無線部１１は、ＲＦ回路１０１によって実現される。また、記憶部２１，５３は、メモリ１０３によって実現される。
【００８９】
［２］実施例１及び実施例２では、通話装置を無線通信装置として説明を行った。しかしながら、これに限定されるものではなく、通話装置は、有線による通信装置であってもよい。
【符号の説明】
【００９０】
１０  通話装置
１１  無線部
１２  通信処理部
１３  増幅部
１４  音声信号処理部
１５  マイク
１６  スピーカ
１７  騒音検出部
１８  操作部
１９，５１  通話制御部
２０，５２  記憶制御部
２１，５３  記憶部
５０  通話装置
【図１】
2015061303.tif 000003
【図２】
2015061303.tif 000004
【図３】
2015061303.tif 000005
【図４】
2015061303.tif 000006
【図５】
2015061303.tif 000007
【図６】
2015061303.tif 000008
【図７】
2015061303.tif 000009
【図８】
2015061303.tif 000010
【図９】
2015061303.tif 000011